(57)【要約】【課題】ユーザがより操作がしやすく使いやすい携帯端末装置を提供することを目的とする。【解決手段】操作部と、通信回線を利用し、メッセージを送信する通信部と、近距離通信を行う近距離通信部と、近距離通信を実行する操作、及び、通信先端末装置を指定する操作の一方が操作部に入力された後、さらに他方が操作部に入力されると、通信部から通信先端末装置に近距離通信を起動させる指示を含むメッセージを送信させ、通信先端末装置の近距離通信機能が起動されたら、近距離通信部による近距離通信を開始させる制御部と、を備えることで上記課題を解決する。【選択図】図１
2011211434.tif 000002
【特許請求の範囲】
【請求項１】
操作部と、
通信回線を利用し、メッセージを送信する通信部と、
近距離通信を行う近距離通信部と、
近距離通信を実行する操作、及び、通信先端末装置を指定する操作の一方が前記操作部に入力された後、さらに他方が前記操作部に入力されると、前記通信部から前記通信先端末装置に近距離通信を起動させる指示を含むメッセージを送信させ、前記通信先端末装置の近距離通信機能が起動されたら、前記近距離通信部による近距離通信を開始させる制御部と、を備えることを特徴とする携帯端末装置。
【請求項２】
前記操作部は、少なくとも１つのアドレス情報が対応付けられた特定キーを有し、
前記制御部は、前記特定キーが押下されたら、前記特定キーに対応付けられたアドレス情報を前記通信先端末装置として設定することを特徴とする請求項１に記載の携帯端末装置。
【請求項３】
前記制御部は、メールアドレスを用いたインターネット通信のメールサービス、または、電話番号を用いるショートメッセージサービスのいずれかで前記通信先端末装置に前記メッセージを送信させることを特徴とする請求項１または２に記載の携帯端末装置。
【請求項４】
前記制御部は、前記通信先端末装置として前記電話番号のみが対応付けられている場合は、ショートメッセージサービスで、前記通信先端末装置に前記メールアドレスのみが対応付けられている場合は、インターネット通信のメールサービスで、前記メッセージを送信することを特徴とする請求項３に記載の携帯端末装置。
【請求項５】
前記制御部は、前記メッセージとして、読み取り可能なテキストを送信させることを特徴とする請求項１から４のいずれか１項に記載の携帯端末装置。
【請求項６】
前記制御部は、近距離通信を機能させる指示として、前記メッセージのテキスト中の特異な位置に、改行またはスペースを含ませることを特徴とする請求項１から５のいずれか１項に記載の携帯端末装置。
【請求項７】
前記制御部は、近距離通信を機能させる指示として、前記メッセージのテキストの前後に記号を含ませることを特徴とする請求項１から６のいずれか１項に記載の携帯端末装置。
【請求項８】
前記制御部は、前記メッセージに暗証コードを含め、前記近距離通信部により、前記通信先端末装置から前記暗証コードが受信されると、情報の送受信を開始し、前記暗証コードが受信されなければ以降の送受信を行わせないことを特徴とする請求項１から７のいずれか１項に記載の携帯端末装置。
【請求項９】
前記制御部は、前記近距離通信により通信相手の端末装置の端末情報を取得し、取得した端末情報と、前記メッセージを送信した前記通信先端末装置の端末情報とが一致したら、情報の送受信を開始することを特徴とする請求項１から７のいずれか１項に記載の携帯端末装置。
【請求項１０】
前記制御部は、前記通信部を介して他の端末装置から近距離通信を起動させる指示を含むメッセージを受信したら、前記近距離通信部を起動させ、当該他の端末装置と近距離通信を行い、当該他の端末装置からの近距離通信が終了すると、前記近距離通信部を停止することを特徴とする請求項１から９のいずれか１項に記載の携帯端末装置。
【発明の詳細な説明】
【技術分野】
【０００１】
本発明は、登録相手を対応付けた特定キーを有する携帯端末装置に関する。
【背景技術】
【０００２】
携帯電話機やＰＨＳ、ＰＤＡ等の携帯端末装置には、近距離通信機能を備えているものがある。例えば、特許文献１には、通信電波が所定範囲の指向性を有する近距離無線通信手段を有し、他の端末装置と近距離通信を行うことができる近距離無線通信装置が記載されている。
【先行技術文献】
【特許文献】
【０００３】
【特許文献１】特開２００７−５３４２４号公報
【発明の概要】
【発明が解決しようとする課題】
【０００４】
特許文献１のように、近距離通信機能を搭載することで、電話回線や、インターネット回線を用いることなく、他の端末装置と、データの送受信を行うことができる。しかしながら、特許文献１に記載の近距離無線通信装置では、近距離通信機能を起動させるための操作が複雑であり、操作者が不慣れな場合、起動に手間がかかる。また、近距離無線通信装置は、一定距離内にある任意の通信装置と近距離通信を行うため、意図しない端末と情報の送受信を行う可能性もある。
【０００５】
本発明は、上記に鑑みてなされたものであって、ユーザがより操作がしやすく使いやすい携帯端末装置を提供することを目的とする。
【課題を解決するための手段】
【０００６】
上述した課題を解決し、目的を達成するために、本発明は、携帯端末装置であって、操作部と、通信回線を利用し、メッセージを送信する通信部と、近距離通信を行う近距離通信部と、近距離通信を実行する操作、及び、通信先端末装置を指定する操作の一方が前記操作部に入力された後、さらに他方が前記操作部に入力されると、前記通信部から前記通信先端末装置に近距離通信を起動させる指示を含むメッセージを送信させ、前記通信先端末装置の近距離通信機能が起動されたら、前記近距離通信部による近距離通信を開始させる制御部と、を備えることを特徴とする。
【０００７】
また、前記操作部は、少なくとも１つのアドレス情報が対応付けられた特定キーを有し、前記制御部は、前記特定キーが押下されたら、前記特定キーに対応付けられたアドレス情報を前記通信先端末装置として設定することが好ましい。
【０００８】
また、前記制御部は、メールアドレスを用いたインターネット通信のメールサービス、または、電話番号を用いるショートメッセージサービスのいずれかで前記通信先端末装置に前記メッセージを送信させることが好ましい。
【０００９】
また、前記制御部は、前記通信先端末装置として前記電話番号のみが対応付けられている場合は、ショートメッセージサービスで、前記通信先端末装置に前記メールアドレスのみが対応付けられている場合は、インターネット通信のメールサービスで、前記メッセージを送信することが好ましい。
【００１０】
また、前記制御部は、前記メッセージとして、読み取り可能なテキストを送信させることが好ましい。
【００１１】
また、前記制御部は、近距離通信を機能させる指示として、前記メッセージのテキスト中の特異な位置に、改行またはスペースを含ませることが好ましい。
【００１２】
また、前記制御部は、近距離通信を機能させる指示として、前記メッセージのテキストの前後に記号を含ませることが好ましい。
【００１３】
また、前記制御部は、前記メッセージに暗証コードを含め、前記近距離通信部により、前記通信先端末装置から前記暗証コードが受信されると、情報の送受信を開始し、前記暗証コードが受信されなければ以降の送受信を行わせないことが好ましい。
【００１４】
また、前記制御部は、前記近距離通信により通信相手の端末装置の端末情報を取得し、取得した端末情報と、前記メッセージを送信した前記通信先端末装置の端末情報とが一致したら、情報の送受信を開始することが好ましい。
【００１５】
また、前記制御部は、前記通信部を介して他の端末装置から近距離通信を起動させる指示を含むメッセージを受信したら、前記近距離通信部を起動させ、当該他の端末装置と近距離通信を行い、当該他の端末装置からの近距離通信が終了すると、前記近距離通信部を停止することが好ましい。
【発明の効果】
【００１６】
本発明にかかる携帯端末装置は、ユーザがより操作しやすく、かつ使いやすくすることができるという効果を奏する。
【図面の簡単な説明】
【００１７】
【図１】図１は、本発明の携帯端末装置の一例の外観を示す正面図である。
【図２】図２は、図１に示す携帯端末装置の機能の概略構成を示すブロック図である。
【図３】図３は、携帯端末装置の動作の一例を示すフロー図である。
【図４】図４は、携帯端末装置の動作の一例を示すフロー図である。
【図５−１】図５−１は、携帯端末装置の表示部に表示される画面の一例を示す説明図である。
【図５−２】図５−２は、携帯端末装置の表示部に表示される画面の一例を示す説明図である。
【図６】図６は、携帯端末装置の動作を説明するための画面遷移図である。
【図７】図７は、携帯端末装置の動作を説明するための画面遷移図である。
【発明を実施するための形態】
【００１８】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯端末装置として携帯電話機を例として説明するが、本発明の適用対象は携帯電話機に限定されるものではない。例えば、ＰＨＳ（Personal Handyphone System）、ＰＤＡ、ポータブルナビゲーション装置、ポータブルゲーム機等に対して本発明は適用できる。
【００１９】
図１は、本発明の携帯端末装置の一例の外観を示す正面図である。携帯端末装置１は、無線通信機能を備えた携帯電話機である。携帯端末装置１は、筐体１Ｃが第１筐体１ＣＡと第２筐体１ＣＢとで開閉可能に構成された、折り畳み式の携帯電話機である。
【００２０】
また、第１筐体１ＣＡと第２筐体１ＣＢとは、ヒンジ１８で連結されている。これによって、第１筐体１ＣＡ及び第２筐体１ＣＢは、ヒンジ１８を中心としてともに回動して、互いに遠ざかる方向及び互いに接近する方向に回動できるように構成される。第１筐体１ＣＡと第２筐体１ＣＢとが互いに遠ざかる方向に回動すると携帯端末装置１が開き、第１筐体１ＣＡと第２筐体１ＣＢとが互いに接近する方向に回動すると携帯端末装置１が閉じる。なお、図１は、携帯端末装置１を開いた状態である。
【００２１】
第１筐体１ＣＡには、表示部として、図１に示すメインディスプレイ２Ｍが設けられる。メインディスプレイ２Ｍは、所定の画像として、携帯端末装置１が受信を待機している状態のときに待受画面を表示したり、携帯端末装置１の操作を補助するために用いられるメニュー画面を表示したりする。また、図１に示すように、第１筐体１ＣＡには、メインディスプレイ２Ｍのヒンジ１８側に、３つの特定キー４が設けられている。この３つの特定キー４には、それぞれ、「１」、「２」、「３」の番号が付されている。また、第１筐体１ＣＡには、携帯端末装置１の通話時に音声を発するレシーバ６が設けられている。
【００２２】
次に、第２筐体１ＣＢには、通話相手の電話番号や、メール作成時等に文字を入力するための数字キー３ａが複数設けられ、また、メインディスプレイ２Ｍに表示されるメニューの選択、カーソルの移動方向を入力するための方向キー３ｂ、決定操作を入力するための決定キー３ｃ、各種アプリケーションの起動操作を入力するための機能キー３ｄが設けられている。なお、本実施形態では、方向キー３ｂの一部は、機能キー３ｄの機能も備えている。数字キー３ａ、方向キー３ｂ、決定キー３ｃ及び機能キー３ｄは、携帯端末装置１の操作部２８（図２参照）を構成する。また、第２筐体１ＣＢには、携帯端末装置１の通話時に音声を受け取るマイク５が設けられている。
【００２３】
次に、携帯端末装置１の機能と制御部との関係を説明する。図２は、図１に示す携帯端末装置の機能の概略構成を示すブロック図である。図２に示すように携帯端末装置１は、主制御部２２と、記憶部２４と、通信部２６と、操作部２８と、入力データ取得部２９と、音声処理部３０と、表示部３２と、表示制御部３３と、近距離通信部３６と、発光制御部３８と、を有する。
【００２４】
主制御部２２は、携帯端末装置１の全体的な動作を統括的に制御する処理部、例えばＣＰＵ（Central Processing Unit）である。すなわち、携帯端末装置１の各種の処理が、操作部２８の操作や携帯端末装置１の記憶部２４に保存されるソフトウェアに応じて適切な手順で実行されるように、通信部２６、表示部３２、近距離通信部３６、発光制御部３８等の動作を制御する。主制御部２２は、記憶部２４に保存されているプログラム（例えば、オペレーティングシステムプログラム、アプリケーションプログラム等）に基づいて処理を実行する。記憶部２４には、主制御部２２での処理に利用されるソフトウェアやデータが保存されている。具体的には、ソフトウェアとしては、近距離通信部３６による近距離通信を制御するソフトウェアや、特定キー４に対応付ける操作を制御するソフトウェアや、着信履歴、発信履歴、メール受信履歴等を管理するソフトウェアが保存されている。また、データとしては、アドレス帳のデータ、待受画面に表示させる画像のデータ、その他の画像データ、音声データ等が保存されている。
【００２５】
通信部２６は、基地局によって割り当てられるチャネルを介し、基地局との間でＣＤＭＡ方式などによる無線信号回線を確立し、基地局との間で電話通信及び情報通信を行う。
【００２６】
操作部２８は、上述したように、数字キー３ａ、方向キー３ｂ、決定キー３ｃ、及び、機能キー３ｄと、特定キー４とで構成され、これらのキーがユーザの操作により入力されると、その操作内容に対応する信号を発生させる。なお、機能キー３ｄは、例えば、メールキー、電話帳キー、カメラキー、Ｗｅｂキー、終話キー（切キー）など、各種アプリケーションの起動操作の入力が割り当てられたキーであり、押下されることで、当該キーに対応付けられた機能を起動させる。
【００２７】
また、３つの特定キー４は、いわゆるワンタッチキーであり、それぞれアドレス帳に記憶されている登録者のうちの一件（一件分の登録データ、アドレス情報）が特定の登録者（ペア相手）として対応付けることができるキーである。主制御部２２は、特定キー４が押下されることで、対応付けられた登録者に対して電話を掛けたり、メールを作成したりする機能を起動させることができる。なお、本実施形態では、特定キー４を３つ設けたが、数は特に限定されない。
【００２８】
操作部２８で発生した信号は、ユーザの指示として入力データ取得部２９へ入力される。入力データ取得部２９は、操作部２８から発生した信号と、入力の設定に基づいて、制御信号を生成し、生成した制御信号を主制御部２２に入力する。なお、本実施形態では、決定キー３ｃと機能キー３ｄの一部及び特定キー４に発光機構が配置されている。決定キー３ｃと機能キー３ｄと特定キー４とは、表面が半透明、または透明な材で形成され、内部に発光素子（ＬＥＤ等）が配置されている。
【００２９】
音声処理部３０は、マイク５に入力される音声信号やレシーバ６から出力される音声信号の処理を実行する。
【００３０】
表示部３２は、液晶ディスプレイ（ＬＣＤ、Liquid  Crystal  Display）や、有機ＥＬ（Organic Electro−Luminescence）パネルなどで構成された表示パネル（上述したメインディスプレイ２Ｍ等）を備え、主制御部２２から表示制御部３３を介して供給される映像データに応じた映像、画像データに応じた画像を表示パネルに表示させる。
【００３１】
近距離通信部３６は、近距離無線通信技術を用いて、他の通信装置と通信を行う通信部である。なお、近距離無線通信技術としては、赤外線通信（ＩｒＤＡ（登録商標）、ＩｒＭＣ（登録商標）、ＩｒＳｉｍｐｌｅ（登録商標））や、可視光通信や、Bluetooth（登録商標）や、磁界通信（ＲＦＩＤ、Radio  Frequency  Identification）技術を用いることができる。例えば、近距離通信部３６は、磁界通信を用いる場合、自身を特定するＩＣタグと、他の通信装置が有するＩＣタグを読み取る読取部とを有する。
【００３２】
発光制御部３８は、操作部２８の一部の発光状態を制御する。具体的には、発光制御部３８は、決定キー３ｃ、機能キー３ｄ及び／または特定キー４の一部に対応して配置された発光機構の動作を制御する。これにより、発光制御部３８は、決定キー３ｃ、機能キー３ｄ及び／または特定キー４を発光させたり、消灯させたり、点滅させたりすることができる。このように、発光制御部３８で、キーの点灯状態を制御することで、次に押下すべきキーのガイドを行うことができる。なお、上記本実施形態では、主制御部２２と、発光制御部３８とを別々に記載したが、一体としてもよい。また、図示は省略したが、携帯端末装置１は、カメラも備えている。
【００３３】
次に、携帯端末装置１の動作、具体的には、主制御部２２、通信部２６、近距離通信部３６等による近距離通信機能の処理について説明する。ここで、図３及び図４は、携帯端末装置の動作の一例を示すフロー図である。図５−１及び図５−２は、それぞれ、携帯端末装置の表示部に表示される画面の一例を示す説明図である。なお、図３は、近距離通信でデータを送信する側の携帯端末装置１の動作を示すフロー図であり、図４は、近距離通信でデータを受信する側の携帯端末装置１の動作を示すフロー図である。また、後ほど説明するが本実施形態の近距離通信を行う携帯端末装置１同士は、基本的に、予め互いの端末情報や、認証情報を交換している。また、以下の通信では、少なくとも２つの携帯端末装置１が使用されるが、各部の構成は同一であるので、符号は、同一とし、区別が必要な場合は、「データ送信側」と「データ受信側」として両者を区別する。
【００３４】
まず、図３を用いて、データ送信側の携帯端末装置１の動作について説明する。携帯端末装置１の主制御部２２は、ユーザの操作により近距離通信機能の起動指示が入力されたら、ステップＳ１２として、近距離通信部３６を起動させる。なお、近距離通信機能の起動指示としては、例えば、画像データの表示時に、当該画像データを近距離通信機能により送信することをメニュー画面から選択する操作である。
【００３５】
主制御部２２は、ステップＳ１２で近距離通信部３６を起動させた状態で、ステップＳ１４として、特定キー４の押下を検出すると、主制御部２２は、押下された特定キー４に対応付けられた登録者を、近距離通信の通信先と判定する。
【００３６】
主制御部２２は、ステップＳ１４で特定キー４が押下され、通信先を特定したら、ステップＳ１６としてメールを送信する。具体的には、主制御部２２は、近距離通信の通信先として決定した相手に、赤外線通信機能を起動させるコマンドを含むメッセージを通信回線で送る。なお、メッセージ（メール）は、Ｅメール機能や、ＳＭＳ（Short Message Service）機能で送信することができる。また、メールの送信先は、特定キー４と登録者との対応付けと、アドレス帳に記憶されているデータに基づいて特定すればよい。つまり、特定キー４に対応付けられた登録者のデータから、Ｅメールアドレスや、電話番号を検出することで、メールの送信先を特定することができる。なお、電話番号が登録されていればＳＭＳを、電話番号が登録されておらずにメールアドレスが登録されている場合は、Ｅメールを作成する。
【００３７】
主制御部２２は、ステップＳ１６でメールを送信したら、ステップＳ１８として、近距離通信の相手ありかを判定する。つまり、主制御部２２は、近距離通信が可能な範囲内に、通信可能な端末があるかを判定する。なお、主制御部２２は、通信可能な端末があるかは、近距離通信部３６により検出することができる。主制御部２２は、ステップＳ１８で相手なし（Ｎｏ）、つまり、一定時間経過しても、近距離通信部３６に対して、他の端末からのアクションを何ら受信しない場合に、通信可能な端末がないと判定し、ステップＳ１８に進む。このように、主制御部２２は、通信可能な端末の有無を検出するため、ステップＳ１８の処理を所定回数繰り返す。なお、主制御部２２は、所定回数後も通信可能な端末が見つからない場合は、処理を終了する、つまりタイムアウトするようにしてもよい。
【００３８】
主制御部２２は、ステップＳ１８で通信要求を受信し、相手あり（Ｙｅｓ）と判定したら、その応答を返信し、ステップＳ２０として、近距離通信により受信されるデータに基づいて、認証がＯＫであるかを判定する。主制御部２２は、通信相手として検出した携帯端末装置が、ステップＳ１４で特定した登録者の携帯端末装置であるかの認証を行う。なお、主制御部２２は、近距離通信部３６により相手先の端末の情報（例えば、電話番号、メールアドレス）や、自身の端末の情報、予め交換してある認証情報を受信することで、認証を行う。
【００３９】
主制御部２２は、ステップＳ２０で認証がＯＫではない（Ｎｏ）、つまり、ステップＳ１８で検出した通信可能な端末が、ステップＳ１４で特定した携帯端末装置ではないと判定したら、ステップＳ１８に進む。その後、主制御部２２は、通信可能な他の端末を検出し、ステップＳ１８とステップＳ２０の処理を行う。
【００４０】
主制御部２２は、ステップＳ２０で認証ＯＫ（Ｙｅｓ）と判定したら、つまり、ステップＳ１８で検出した通信可能な端末が、ステップＳ１４で特定した携帯端末装置であると判定したら、ステップＳ２２として、近距離通信により、認証以降のデータの送受信の開始を許可する。主制御部２２は、データの通信が終了したら、処理を終了する。
【００４１】
なお、本実施形態では、近距離通信部の起動指示を検出した後、特定キーの押下を検出した場合としたが、検出される順序（ユーザによって指示が入力される順番）は逆でも良い。つまり、特定キーの押下を検出した後、近距離通信部の起動指示を検出した場合も同様の処理を行うことができる。例えば、特定キーが押下された後に選択可能なメニュー（操作）に近距離通信部の起動を含めることで、上記処理が可能となる。特定キーが押下された後に選択可能なメニューには、特定キーに対応付けられたアドレスに対する発信や、メールの作成等がある。
【００４２】
次に、図４を用いて、データ受信側の携帯端末装置１の動作について説明する。まず、データ受信側の携帯端末装置１の主制御部２２は、ステップＳ４０として、メールを受信する。つまり、主制御部２２は、データ送信側の携帯端末装置１から送られたメールを受信する。具体的には、図５−１に示す画面５２のように、近距離通信（画面５２では、赤外線通信）の受信機能を起動させることを要求するメッセージを含むメールを受信する。なお、画面５２は、受信したメールをメインディスプレイ２Ｍに表示させている状態である。
【００４３】
主制御部２２は、ステップＳ４０でメールを受信したら、その内容を解析し、近距離通信の起動指示を含むメールであると判定した場合は、ステップＳ４２として、近距離通信部３６を起動させる。具体的には、主制御部２２は、ステップＳ４０で受信したメールに含まれる近距離通信部３６の起動要求の特定テキストを検出し、近距離通信部３６を自動的に起動させる。なお、上記実施形態では、メールの受信をトリガーとして近距離通信部３６を起動させたが、主制御部２２は、ステップＳ４２で、メールの表示が終了したら、近距離通信部３６を起動させてもよい。また、主制御部２２は、表示部３２に、近距離通信部を起動するか否かを選択させるメッセージを表示させ、ユーザが起動する指示を選択したら、近距離通信部を起動させるようにしてもよい。つまり、ユーザが許可をしてから起動させるようにしてもよい。また主制御部２２は、近距離通信部３６を起動させたら、表示部３２のメインディスプレイ２Ｍに図５−２に示す画面５４を表示させる。ここで、画面５４は、近距離通信部３６の通信波の出力部分を送信側の携帯端末装置１の近距離通信部３６の通信波の出力部分に近づけることを要求するメッセージが表示されている。なお、画面５４は、近距離通信として赤外線通信を用いる場合である。一方、主制御部２２は、ステップＳ４０で受信したメールに特定テキストが含まれていない場合には、通常のメール受信であり、近距離通信起動を求められているものではないと判断し、ステップＳ４２以降の処理には移行しない。
【００４４】
主制御部２２は、ステップＳ４２で近距離通信部を起動させたら、ステップＳ４４として、近距離通信の相手が有るかどうかを判定する。つまり、主制御部２２は、近距離通信部の通信要求の送出を開始し、その応答が返ってくるかどうかにより、近距離通信が可能な範囲内に、通信可能な端末があるかを判定する。主制御部２２は、一定時間内に応答がなく、ステップＳ４４で相手なし（Ｎｏ）と判定したら、ステップＳ４４に進む。このように、主制御部２２は、通信可能な端末の有無を判断するため、ステップＳ４４の処理を所定回数繰り返す。なお、この場合も主制御部２２は、タイムアウトを設定してもよい。
【００４５】
主制御部２２は、応答を受信してステップＳ４４で相手あり（Ｙｅｓ）と判定したら、ステップＳ４６として、認証コードを送信する。つまり、主制御部２２は、通信相手として検出した送信側の携帯端末装置１に、ステップＳ４０で受信したメールの送信者の携帯端末装置に対応付けて予め記憶している認証コードを送信する。なお、認証コードは、近距離通信部による通信で送る。また、認証コードは、送信側の携帯端末装置１との間で設定した情報であればよく、上述したように、相手先の端末の情報（例えば、電話番号、メールアドレス）や、自身の端末の情報、予め交換してある認証情報である。あるいは、ステップＳ４０で受信されたメールに含まれていた情報を用いても良い。
【００４６】
主制御部２２は、ステップＳ４６で認証コードを送信したら、ステップＳ４８として、データ通信が開始されたかを判定する。つまり、認証コードが認証され、送信側の携帯端末装置１からデータの送信が開始されたかを判定する。主制御部２２は、ステップＳ４８でデータ通信が開始されない（Ｎｏ）と判定したら、ステップＳ４４に進む。その後、主制御部２２は、通信可能な他の端末を検出したら、ステップＳ４６とステップＳ４８の処理を行う。
【００４７】
また、主制御部２２は、ステップＳ４８で、データ通信が開始された（Ｙｅｓ）と判定したら、ステップＳ５０として、データを受信する。このように、携帯端末装置１は、通信相手と認証確認を行った後、認証の確認が取れたらデータの通信を行うことで、真に近距離通信を要求してきた端末のみと正しい通信を行うことができる。主制御部２２は、データの受信が終了したら、近距離通信部を終了させて（機能を停止させて）処理を終了する。
【００４８】
このように、携帯端末装置１は、近距離通信時に、特定キー４を押下されたら、特定キー４に対応付けた登録相手（ペア相手）を通信先として特定し、メールを介して、通信先の近距離通信機能を起動させることで、円滑に近距離通信を行うことができる。
【００４９】
また、メールが送信された相手の携帯端末装置１は、メールを受信するのみで、近距離通信機能を起動させることができる。これにより、メニュー等の操作画面から近距離通信機能を起動させる操作を入力することなく、機能を起動させることができる。以上より、携帯端末装置１の操作に不慣れなユーザであっても、簡単に近距離通信を行うことができる。
【００５０】
また、携帯端末装置１は、データの送信前に、認証を行うことで、近距離通信の相手の認証を行うことで、ユーザが認証した相手以外が周囲にいた場合、所望の相手のみと通信を確立させることができる。これにより、情報の漏洩を抑制しつつ、データの送受信を行うことができる。また、上記実施形態では、送信側の携帯端末装置１が認証を行ったが、受信側の携帯端末装置１も認証を行うようにしてもよい。なお、上記効果を得ることができるため、通信先の認証を行うことが好ましいが、認証を行うことなく、近距離通信を行った場合も、上述したように、簡単に近距離通信を行うことができるという効果は得ることができる。
【００５１】
また、上記では、認証コードに含めたが、メールの送受信を行うことで、送信先の端末を特定することができ、端末情報から、設定された相手であると判定してから、通信を行うことができる。
【００５２】
また、携帯端末装置１は、上記実施形態のように、メールに、近距離通信を起動させる指示を人間（その携帯端末に設定されている言語）が理解できる文章で含めることが好ましい。このように、メール文章に含めることで、メールを受信した携帯端末装置１が、上記機能に対応していない携帯端末装置１であっても、ユーザが必要な処理を理解することができる。このようにユーザに理解できる文章であるため、受信側ユーザも、特段の違和感を感じることなく手作業で（ユーザの操作により）近距離通信部を起動するできる。
【００５３】
なお、受信側の携帯端末装置１が、上記機能に対応していない携帯端末装置１である場合は、ユーザが手動で近距離通信機能を起動させ、必要に応じて、手動で認証コードを入力することで、近距離通信できる設定とすることが好ましい。これにより、携帯端末装置１が、対応していない場合でも、円滑に近距離通信を行うことができる。
【００５４】
また、送信側の携帯端末装置１は、手動で認証コードが入力された場合も、認証コードが一致した場合は、データを送信し、認証コードが一致しない場合は、データを送信しないようにすることで、上記と同様に安全にデータのやり取りを行うことができる。
【００５５】
なお、送信側の携帯端末装置１は、受信側の携帯端末装置１が、上記機能に対応していない携帯端末装置１である場合は、認証を行うことなくデータの送信を行うようにしてもよい。なお、この場合は、ユーザに選択させるメッセージを表示させ、ユーザによって入力された指示に基づいて、データの送信を行うかを判定してもよい。
【００５６】
また、受信側の携帯端末装置１は、受信したメールの本文以外に所定の認証コードが含まれていない場合、所定のコマンドが含まれていない場合は、文章で近距離通信機能を起動させる指示が表示されている場合も、図４に示す処理を起動させないことが好ましい。つまり、受信側の携帯端末装置１は、受信したメールの本文以外に所定の認証コードが含まれている場合、または、所定のコマンドが含まれている場合に、図４に示す処理を行うことが好ましい。
【００５７】
これにより、似た文章のメールを受信した場合に、誤って、近距離通信機能を起動させてしまう恐れを抑制することができる。
【００５８】
また、上述した所定のコマンドをメールに含ませる方法は、種々の方法を用いることができる。例えば、メールの本文以外にコマンドを含ませるようにしてもよい。ここで、メールの本文にコマンドを含ませる場合は、例えば、図５−１の文章の場合には、単語「相手」の「相」と「手」の間に半角スペースを含めたり、単語「起動」の「起」と「動」の間に改行を含めたりと、文章（テキスト）の特異な位置に含ませた改行またはスペースをコマンドとして設定することが好ましい。このように、スペースや改行を用いることで、文章の意味を変えてしまうことを抑制できる。また、特異な位置、例えば文中でかつ行の途中に含ませることで、通常のメールと、偶然に一致してしまうことを抑制できる。
【００５９】
なお、携帯端末装置１（の主制御部２２）は、特定キー４が押下されずに、通信開始の操作が入力されたら、通常の近距離通信動作により、通信相手先を検出し、通信を行えばよい。つまり、近距離通信機能の起動方法を選択できるようにすることが好ましい。これにより、特定キー４に対応付けられた登録者以外とも近距離通信を行うことができる。
【００６０】
また、上記実施形態では、近距離通信部３６を起動させてから、特定キー４の押下を検出したが、特定キー４の押下を検出してから近距離通信部３６を起動させるようにしてもよい。例えば、特定キー４が押下された時に表示させるメニュー（選択可能な機能）に発信や、メール作成、詳細情報表示に加え、近距離通信機能を起動させる指示が選択できるようにしてもよい。また、この場合は、近距離通信機能の起動指示が入力されてから送信するデータの選択操作を入力可能としてもよい。
【００６１】
また、特定キー４に対応つけた登録相手（ペア相手）にメールアドレス（Ｅメールアドレス）が登録されていない場合は、電話番号でメッセージが送信できるＳＭＳサービスで、メールを送信し、メールアドレス（Ｅメールアドレス）しか登録されていない場合は、Ｅメールでメールを送信すればよい。また、両方が登録されている場合は、ユーザが任意に設定すればよい。また、一方を優先して適用する設定としてもよい。
【００６２】
次に、図６及び図７を用いて、上記処理を行うための設定の設定方法の一例について説明する。図６及び図７は、それぞれ、携帯端末装置の動作を説明するための画面遷移図である。まず、上述した図３と同様に、特定キーを押下して、近距離通信（本例では、赤外線通信）を開始する。なお、この時、通信先の携帯端末装置１は、特定キーに対応付けられたペア相手の携帯端末装置である。なお、特定キーにペア相手が登録されていない（対応付けられていない）場合は、ペア相手への登録もあわせて設定を行ってもよい。
【００６３】
携帯端末装置１は、近距離通信中は、図６に示す画面６０ａを表示させる。その後、携帯端末装置１は、通信が終了したら、画面６０ｂを表示させる。ここで、画面６０ｂは、ペア相手専用の通信モードを登録するかを問い合わせる画面である。なお、ペア相手専用の通信モードとは、上述したように、通信先に近距離通信機能の起動要求を含むメールを送信し、かつ、認証コードで認証を行った後、近距離通信を開始するモードである。
【００６４】
携帯端末装置１は、画面６０ｂを表示させている状態で、ＹＥＳ、つまり、モードを設定することが選択されたら、特定キーに対して、ペア相手専用の通信モードを対応つける。つまり、特定キー４が押下されたら、上述した図３の処理を行う設定とする。なお、携帯端末装置１は、画面６０ｂを表示させている状態で、ＮＯが選択されたら、特定キー４の押下に対して、上述した図３の処理を行わない設定とする。
【００６５】
携帯端末装置１は、モードの設定が完了したら、画面６０ｃを表示させる。ここで、画面６０ｃは、通信先の携帯端末装置１にも対応する通信モードの設定を要求するメールを送信するかを選択させる画面である。携帯端末装置１は、画面６０ｃを表示させている状態でＹＥＳ、つまり、メールを送信することが選択されたら、画面６０ｄを表示させる。ここで、画面６０ｄは、認証コードの入力画面である。携帯端末装置１は、画面６０ｄを表示させている状態で、認証コードが入力されて、決定されたら、通信モードの設定を要求するメールの本文以外の部分に認証コードの情報を付加する。その後、携帯端末装置１は、作成したメールを送信して、処理を終了する。なお、携帯端末装置１は、画面６０ｃを表示させている状態で、ＮＯ、つまり、メールを送信しないことが選択されたら、そのまま処理を終了する。
【００６６】
次に、図６の処理を行った携帯端末装置１の通信先の携帯端末装置１は、図６の処理を行った携帯端末装置１から送信されたメールを受信し、その受信メールを開く操作が入力されたら、図７に示す画面６２ａを表示させる。ここで、受信メールは、通信モードの設定を要求するメールであり、該当する設定を行う処理の起動を要求するコマンドが含まれている。携帯端末装置１は、画面６２ａを表示している状態で、メール機能の終了操作が入力されたら、画面６２ｂを表示させる。ここで、画面６２ｂは、通信モードの設定を行うかを問い合わせる画面である。
【００６７】
携帯端末装置１は、画面６２ａを表示している状態で、ＹＥＳ、つまり、登録を行うことが選択されたら、通信モードの設定を行い、画面６２ｃに示すように、メールに付加されている認証コードの情報を表示させる。ここで、通信先の携帯端末装置１が設定する通信モードは、対象の端末から、所定のコマンドを含むメールが送信されたら、近距離通信部を起動させる通信モードである。これにより、携帯端末装置１は、設定された条件のメールを受信したら、近距離通信部を起動させ、さらに、認証コードも送信することができる。
【００６８】
なお、上記実施形態では、認証コードの設定をユーザが任意に入力した入力値としたが、これに限定されず、端末の情報や、装置がランダムで設定した値としてもよい。また、認証コードは設定しないようにしてもよい。
【００６９】
また、通信先の携帯端末装置１は、受信したメールに認証コードが含まれていない場合や、一定のコマンド情報がない場合は、通常の受信メールとして処理し、似た文章であっても、通信モードの設定に移行しないことが好ましい。これにより、偽情報により、誤った登録をすることを抑制することができる。
【００７０】
また、上記実施形態では、データの送信側の携帯端末装置から、通信先（データの受信側の携帯端末装置）に近距離通信を起動させるメール（近距離通信機能の起動要求）を送信するようにしたが、データの受信側の携帯端末装置から、データの送信側の携帯端末装置にメールを送信するようにしてもよい。
【００７１】
また、上記実施形態では、より操作が簡単となるため、特定キーに対応付けた登録相手（ペア相手）と近距離通信を行う場合として説明したが、本発明はこれに限定されない。例えば、アドレス帳を用いて、通信先（メールの送り先、かつ、近距離通信の相手）の携帯端末装置を特定してもよい。このような場合でも、通信先の携帯端末装置は、メールを受信するのみ、または、簡単な操作を入力するのみで、近距離通信を行うことができる。
【００７２】
また、上記実施形態では、双方を携帯端末装置としたが、本発明はこれに限定されず、一方を固定型の端末装置としてもよい。
【産業上の利用可能性】
【００７３】
以上のように、本発明にかかる携帯端末装置は、近距離通信機能を備える携帯端末装置に用いることに有用である。
【符号の説明】
【００７４】
１  携帯端末装置
１Ｃ  筐体
１ＣＡ  第１筐体
１ＣＢ  第２筐体
２Ｍ  メインディスプレイ
３ａ  数字キー
３ｂ  方向キー
３ｃ  決定キー
３ｄ  機能キー
４  特定キー
５  マイク
６  レシーバ
１８  ヒンジ
２２  主制御部（ＣＰＵ）
２４  記憶部（メモリ）
２６  通信部
２８  操作部
２９  入力データ取得部
３０  音声処理部
３２  表示部
３３  表示制御部
３６  近距離通信部
３８  発光制御部
【図１】
2011211434.tif 000003
【図２】
2011211434.tif 000004
【図３】
2011211434.tif 000005
【図４】
2011211434.tif 000006
【図５−１】
2011211434.tif 000007
【図５−２】
2011211434.tif 000008
【図６】
2011211434.tif 000009
【図７】
2011211434.tif 000010